(57)【要約】【課題】ユーザが画像出力を行おうとするユーザ用紙の特性に合致した色変換を精度良く行う。【解決手段】選択部４１は、予め設定された複数の標準用紙の中から、ユーザが画像出力の際に使用しようとする用紙であるユーザ用紙と特性が近似する標準用紙を選択する。変換テーブル作成部４２は、選択部４１により選択された標準用紙に対応するプリンタプロファイル３５Nと、ユーザ用紙に対応して生成されたプリンタプロファイルとに基づいて、標準用紙用のＣＭＹＫ画像データをユーザ用紙用のＣＭＹＫ画像データに変換するための変換テーブル３８を作成する。色変換テーブル合成部４３は、選択部４１により選択された標準用紙に対応する色変換テーブル３４Nと、変換テーブル３８とに基づいて、ＲＧＢ画像データをユーザ用紙用のＣＭＹＫ画像データに変換するための色変換テーブル３９を合成する。【選択図】図４
2008153810.tif 000002
【特許請求の範囲】
【請求項１】
第１の表色系の画像データを第２の表色系の画像データに変換するための色変換テーブルが、予め設定された複数の標準用紙毎にそれぞれ格納された第１の格納手段と、
画像出力装置のデバイスプロファイルが前記複数の標準用紙に対応して格納された第２の格納手段と、
予め前記色変換テーブルおよび前記デバイスプロファイルが用意されている複数の標準用紙の中から、ユーザが画像出力の際に使用しようとする用紙であるユーザ用紙と特性が近似する標準用紙を選択する選択手段と、
前記選択手段により選択された標準用紙に対応するデバイスプロファイルと、ユーザ用紙に対応して生成された画像出力装置のデバイスプロファイルとに基づいて、標準用紙用の第２の表色系の画像データをユーザ用紙用の第２の表色系の画像データに変換するための変換テーブルを作成する作成手段と、
前記選択手段により選択された標準用紙に対応する色変換テーブルと、前記作成手段により作成された変換テーブルとに基づいて、第１の表色系の画像データをユーザ用紙用の第２の表色系の画像データに変換するための色変換テーブルを合成する合成手段と、
を有する画像処理装置。
【請求項２】
第１の表色系の画像データを第２の表色系の画像データに変換するための色変換テーブルが、予め設定された複数の標準用紙毎にそれぞれ格納された第１の格納手段と、
画像出力装置のデバイスプロファイルが前記複数の標準用紙に対応して格納された第２の格納手段と、
予め前記色変換テーブルおよび前記デバイスプロファイルが用意されている複数の標準用紙の中から、ユーザが画像出力の際に使用しようとする用紙であるユーザ用紙と特性が近似する標準用紙を選択する選択手段と、
前記選択手段により選択された標準用紙に対応するデバイスプロファイルと、ユーザ用紙に対応して生成された画像出力装置のデバイスプロファイルとに基づいて、標準用紙用の第２の表色系の画像データをユーザ用紙用の第２の表色系の画像データに変換するための変換テーブルを作成する作成手段と、
前記選択手段により選択された標準用紙に対応する色変換テーブルと、前記作成手段により作成された変換テーブルとに基づいて、入力された前記第１の表色系の画像データをユーザ用紙用の第２の表色系の画像データに変換する色変換手段と、
を有する画像処理装置。
【請求項３】
入力された画像データの色変換を行うための色変換テーブルが、予め設定された複数の標準用紙毎にそれぞれ格納された第１の格納手段と、
画像出力装置のデバイスプロファイルが前記複数の標準用紙に対応して格納された第２の格納手段と、
予め前記色変換テーブルおよび前記デバイスプロファイルが用意されている複数の標準用紙の中から、ユーザが画像出力の際に使用しようとする用紙であるユーザ用紙と特性が近似する標準用紙を選択する選択手段と、
前記選択手段により選択された標準用紙に対応するデバイスプロファイルと、ユーザ用紙に対応して生成された画像出力装置のデバイスプロファイルとに基づいて、標準用紙用の画像データをユーザ用紙用の画像データに変換するための変換テーブルを作成する作成手段と、
前記選択手段により選択された標準用紙に対応する色変換テーブルと、前記作成手段により作成された変換テーブルとに基づいて、入力された画像データをユーザ用紙用の画像データに変換するための色変換テーブルを合成する合成手段と、
を有する画像処理装置。
【請求項４】
入力された画像データの色変換を行うための色変換テーブルが、予め設定された複数の標準用紙毎にそれぞれ格納された第１の格納手段と、
画像出力装置のデバイスプロファイルが前記複数の標準用紙に対応して格納された第２の格納手段と、
予め前記色変換テーブルおよび前記デバイスプロファイルが用意されている複数の標準用紙の中から、ユーザが画像出力の際に使用しようとする用紙であるユーザ用紙と特性が近似する標準用紙を選択する選択手段と、
前記選択手段により選択された標準用紙に対応するデバイスプロファイルと、ユーザ用紙に対応して生成された画像出力装置のデバイスプロファイルとに基づいて、標準用紙用の画像データをユーザ用紙用の画像データに変換するための変換テーブルを作成する作成手段と、
前記選択手段により選択された標準用紙に対応する色変換テーブルと、前記作成手段により作成された変換テーブルとに基づいて、入力された画像データをユーザ用紙用の画像データに変換する色変換手段と、
を有する画像処理装置。
【請求項５】
前記選択手段は、ユーザによる指定に基づいてユーザ用紙と特性が近似する標準用紙を選択する請求項１から４のいずれか１項記載の画像処理装置。
【請求項６】
前記選択手段は、ユーザ用紙に対応して生成された画像出力装置のデバイスプロファイルと、前記第１の格納手段に格納されている標準用紙に対応した複数のデバイスプロファイルとの相関関係に基づいて、ユーザ用紙と特性が近似する標準用紙を選択する請求項１から４のいずれか１項記載の画像処理装置。
【請求項７】
ユーザ用紙に対して画像形成された測色用パターンの測定結果に基づいて、ユーザ用紙に対応した画像出力装置のデバイスプロファイルを作成するデバイスプロファイル作成手段をさらに有する請求項１から６のいずれか１項記載の画像処理装置。
【請求項８】
第１の表色系の画像データを第２の表色系の画像データに変換するための色変換テーブルおよび画像出力装置のデバイスプロファイルが予め用意されている複数の標準用紙の中から、ユーザが画像出力の際に使用しようとする用紙であるユーザ用紙と特性が近似する標準用紙を選択し、
選択された標準用紙に対応するデバイスプロファイルと、ユーザ用紙に対応して生成された画像出力装置のデバイスプロファイルとに基づいて、標準用紙用の第２の表色系の画像データをユーザ用紙用の第２の表色系の画像データに変換するための変換テーブルを作成し、
選択された標準用紙に対応する色変換テーブルと作成された変換テーブルとに基づいて、第１の表色系の画像データをユーザ用紙用の第２の表色系の画像データに変換する色変換方法。
【請求項９】
入力された画像データの色変換を行うための色変換テーブルおよび画像出力装置のデバイスプロファイルが予め用意されている複数の標準用紙の中から、ユーザが画像出力の際に使用しようとする用紙であるユーザ用紙と特性が近似する標準用紙を選択し、
選択された標準用紙に対応するデバイスプロファイルと、ユーザ用紙に対応して生成された画像出力装置のデバイスプロファイルとに基づいて、標準用紙用の画像データをユーザ用紙用の画像データに変換するための変換テーブルを作成し、
選択された標準用紙に対応する色変換テーブルと作成された変換テーブルとに基づいて、入力された画像データをユーザ用紙用の画像データに変換する色変換方法。
【請求項１０】
第１の表色系の画像データを第２の表色系の画像データに変換するための色変換テーブルおよび画像出力装置のデバイスプロファイルが予め用意されている複数の標準用紙の中から、ユーザが画像出力の際に使用しようとする用紙であるユーザ用紙と特性が近似する標準用紙を選択するステップと、
選択された標準用紙に対応するデバイスプロファイルと、ユーザ用紙に対応して生成された画像出力装置のデバイスプロファイルとに基づいて、標準用紙用の第２の表色系の画像データをユーザ用紙用の第２の表色系の画像データに変換するための変換テーブルを作成するステップと、
選択された標準用紙に対応する色変換テーブルと作成された変換テーブルとに基づいて、第１の表色系の画像データをユーザ用紙用の第２の表色系の画像データに変換するステップと、
をコンピュータに実行させるためのプログラム。
【請求項１１】
入力された画像データの色変換を行うための色変換テーブルおよび画像出力装置のデバイスプロファイルが予め用意されている複数の標準用紙の中から、ユーザが画像出力の際に使用しようとする用紙であるユーザ用紙と特性が近似する標準用紙を選択するステップと、
選択された標準用紙に対応するデバイスプロファイルと、ユーザ用紙に対応して生成された画像出力装置のデバイスプロファイルとに基づいて、標準用紙用の画像データをユーザ用紙用の画像データに変換するための変換テーブルを作成するステップと、
選択された標準用紙に対応する色変換テーブルと作成された変換テーブルとに基づいて、入力された画像データをユーザ用紙用の画像データに変換するステップと、
をコンピュータに実行させるためのプログラム。
【発明の詳細な説明】
【技術分野】
【０００１】
本発明は、入力された画像データの色変換を行なう画像処理装置および色変換方法に関する。
【背景技術】
【０００２】
ＲＧＢ画像データをプリンタ等により印刷する場合、ＲＧＢ→ＣＭＹＫの色変換を行う必要がある。ＲＧＢ→ＣＭＹＫの直接変換は、ＲＧＢ空間からＸＹＺ表色系やＬ*ａ*ｂ*表色系等のデバイス非依存な色空間への変換と、デバイス非依存な色空間からＣＭＹＫ空間への変換という２段階の変換を合成することで実現できる。しかしＲＧＢ空間とＣＭＹＫ空間では色再現域の形状や大きさの違いが大きいため、適切な色変換テーブルを作成するためには、デバイス非依存な色空間→ＣＭＹＫへの変換の際にチューニングが欠かせない。
【０００３】
特に、プリンタに内蔵するためのＲＧＢ→ＣＭＹＫの変換テーブル群を用意する場合には、プリンタ開発時に、例えば普通紙、コート紙、新聞紙等のようないくつかの代表的な用紙を予め標準用紙として設定し、この標準用紙に対して上記のチューニングを施して作成することが一般的である。
【０００４】
しかし、事前に色変換テーブルを用意しておくことができる標準用紙の種類には限度があるため、ユーザが標準用紙ではない用紙を選択して使用する場合には、予め用意された複数の標準用紙の中から特性の近似した標準用紙を選択し、この標準用紙の特性を代用特性として利用することしかできなかった。
【０００５】
この場合、ユーザ用紙の特性とは異なる用紙に合わせて色変換が行われるため、グレイバランスがとれない、色相ずれが発生するなど、不満足な色変換しか行えないことになってしまう。
【０００６】
色変換の不具合を少しでも是正するため、キャリブレーションを適用することでＣＭＹＫの階調特性を補正することも行われている。しかし、キャリブレーションは目標とする色を再現するために行う補正である。そして、上記のように用紙特性の違いによる色再現域の形状が異なっているような場合には色再現域の形状変換すなわちカラーマッピングを行う必要がある。そのため、キャリブレーションを行ったとしても用紙特性の違いにより発生する問題の改善は望めない。
【０００７】
また、ユーザ用紙の特性を考慮した色変換テーブルを作成する様々な方法が提案されている（例えば、特許文献１、２、３参照。）。
【０００８】
特許文献１には、既存の用紙プロファイルをもとに、任意の用紙のプロファイルを作成することが開示されている。特許文献２には、各種用紙の特性データを保持しておき、測色結果から最も近い特性を持った用紙を対象の用紙であると特定することが開示されている。さらに、特許文献２には、標準値からの差異分に基づき、プロファイル中のＬＵＴ（Look Up Table）部分を書き換えて、該当用紙のプロファイルとすることが開示されている。また、特許文献３には、２種類の用紙のプロファイルをもとに、任意の用紙のプロファイルを作成することが開示されている。
【０００９】
しかし、特許文献１〜３に開示された方法は、いずれも簡易的にユーザ用紙の特性に対応したプロファイルを作成するだけであり色変換の精度が低く、かならずしもユーザ用紙の特性に合致した色変換を行うことができない。
【００１０】
【特許文献１】特開平７−８７３４９号公報
【特許文献２】特開２００５−２１０２２５号公報
【特許文献３】特開２００５−２２９５２１号公報
【発明の開示】
【発明が解決しようとする課題】
【００１１】
上述した従来技術では、ユーザ用紙の特性に合致した色変換を精度良く行うことができないという問題点があった。
【００１２】
本発明の目的は、ユーザが画像出力を行おうとするユーザ用紙の特性に合致した色変換を精度良く行うことができる画像処理装置および色変換方法を提供することである。
【課題を解決するための手段】
【００１３】
［画像処理装置］
上記目的を達成するために、本発明の画像処理装置は、第１の表色系の画像データを第２の表色系の画像データに変換するための色変換テーブルが、予め設定された複数の標準用紙毎にそれぞれ格納された第１の格納手段と、
画像出力装置のデバイスプロファイルが前記複数の標準用紙に対応して格納された第２の格納手段と、
予め前記色変換テーブルおよび前記デバイスプロファイルが用意されている複数の標準用紙の中から、ユーザが画像出力の際に使用しようとする用紙であるユーザ用紙と特性が近似する標準用紙を選択する選択手段と、
前記選択手段により選択された標準用紙に対応するデバイスプロファイルと、ユーザ用紙に対応して生成された画像出力装置のデバイスプロファイルとに基づいて、標準用紙用の第２の表色系の画像データをユーザ用紙用の第２の表色系の画像データに変換するための変換テーブルを作成する作成手段と、
前記選択手段により選択された標準用紙に対応する色変換テーブルと、前記作成手段により作成された変換テーブルとに基づいて、第１の表色系の画像データをユーザ用紙用の第２の表色系の画像データに変換するための色変換テーブルを合成する合成手段とを有する。
【００１４】
また、本発明の画像処理装置は、第１の表色系の画像データを第２の表色系の画像データに変換するための色変換テーブルが、予め設定された複数の標準用紙毎にそれぞれ格納された第１の格納手段と、
画像出力装置のデバイスプロファイルが前記複数の標準用紙に対応して格納された第２の格納手段と、
予め前記色変換テーブルおよび前記デバイスプロファイルが用意されている複数の標準用紙の中から、ユーザが画像出力の際に使用しようとする用紙であるユーザ用紙と特性が近似する標準用紙を選択する選択手段と、
前記選択手段により選択された標準用紙に対応するデバイスプロファイルと、ユーザ用紙に対応して生成された画像出力装置のデバイスプロファイルとに基づいて、標準用紙用の第２の表色系の画像データをユーザ用紙用の第２の表色系の画像データに変換するための変換テーブルを作成する作成手段と、
前記選択手段により選択された標準用紙に対応する色変換テーブルと、前記作成手段により作成された変換テーブルとに基づいて、入力された前記第１の表色系の画像データをユーザ用紙用の第２の表色系の画像データに変換する色変換手段とを有する。
【００１５】
また、本発明の画像処理装置は、入力された画像データの色変換を行うための色変換テーブルが、予め設定された複数の標準用紙毎にそれぞれ格納された第１の格納手段と、
画像出力装置のデバイスプロファイルが前記複数の標準用紙に対応して格納された第２の格納手段と、
予め前記色変換テーブルおよび前記デバイスプロファイルが用意されている複数の標準用紙の中から、ユーザが画像出力の際に使用しようとする用紙であるユーザ用紙と特性が近似する標準用紙を選択する選択手段と、
前記選択手段により選択された標準用紙に対応するデバイスプロファイルと、ユーザ用紙に対応して生成された画像出力装置のデバイスプロファイルとに基づいて、標準用紙用の画像データをユーザ用紙用の画像データに変換するための変換テーブルを作成する作成手段と、
前記選択手段により選択された標準用紙に対応する色変換テーブルと、前記作成手段により作成された変換テーブルとに基づいて、入力された画像データをユーザ用紙用の画像データに変換するための色変換テーブルを合成する合成手段とを有する。
【００１６】
また、本発明の画像処理装置は、入力された画像データの色変換を行うための色変換テーブルが、予め設定された複数の標準用紙毎にそれぞれ格納された第１の格納手段と、
画像出力装置のデバイスプロファイルが前記複数の標準用紙に対応して格納された第２の格納手段と、
予め前記色変換テーブルおよび前記デバイスプロファイルが用意されている複数の標準用紙の中から、ユーザが画像出力の際に使用しようとする用紙であるユーザ用紙と特性が近似する標準用紙を選択する選択手段と、
前記選択手段により選択された標準用紙に対応するデバイスプロファイルと、ユーザ用紙に対応して生成された画像出力装置のデバイスプロファイルとに基づいて、標準用紙用の画像データをユーザ用紙用の画像データに変換するための変換テーブルを作成する作成手段と、
前記選択手段により選択された標準用紙に対応する色変換テーブルと、前記作成手段により作成された変換テーブルとに基づいて、入力された画像データをユーザ用紙用の画像データに変換する色変換手段とを有する。
【００１７】
好ましくは、前記選択手段は、ユーザによる指定に基づいてユーザ用紙と特性が近似する標準用紙を選択する。
【００１８】
好ましくは、前記選択手段は、ユーザ用紙に対応して生成された画像出力装置のデバイスプロファイルと、前記第１の格納手段に格納されている標準用紙に対応した複数のデバイスプロファイルとの相関関係に基づいて、ユーザ用紙と特性が近似する標準用紙を選択する。
【００１９】
さらに、好ましくは、ユーザ用紙に対して画像形成された測色用パターンの測定結果に基づいて、ユーザ用紙に対応した画像出力装置のデバイスプロファイルを作成するデバイスプロファイル作成手段をさらに有する。
【００２０】
［色変換方法］
また、本発明の色変換方法は、第１の表色系の画像データを第２の表色系の画像データに変換するための色変換テーブルおよび画像出力装置のデバイスプロファイルが予め用意されている複数の標準用紙の中から、ユーザが画像出力の際に使用しようとする用紙であるユーザ用紙と特性が近似する標準用紙を選択し、
選択された標準用紙に対応するデバイスプロファイルと、ユーザ用紙に対応して生成された画像出力装置のデバイスプロファイルとに基づいて、標準用紙用の第２の表色系の画像データをユーザ用紙用の第２の表色系の画像データに変換するための変換テーブルを作成し、
選択された標準用紙に対応する色変換テーブルと作成された変換テーブルとに基づいて、第１の表色系の画像データをユーザ用紙用の第２の表色系の画像データに変換する。
【００２１】
［プログラム］
また、本発明のプログラムは、第１の表色系の画像データを第２の表色系の画像データに変換するための色変換テーブルおよび画像出力装置のデバイスプロファイルが予め用意されている複数の標準用紙の中から、ユーザが画像出力の際に使用しようとする用紙であるユーザ用紙と特性が近似する標準用紙を選択するステップと、
選択された標準用紙に対応するデバイスプロファイルと、ユーザ用紙に対応して生成された画像出力装置のデバイスプロファイルとに基づいて、標準用紙用の第２の表色系の画像データをユーザ用紙用の第２の表色系の画像データに変換するための変換テーブルを作成するステップと、
選択された標準用紙に対応する色変換テーブルと作成された変換テーブルとに基づいて、第１の表色系の画像データをユーザ用紙用の第２の表色系の画像データに変換するステップとをコンピュータに実行させる。
【発明の効果】
【００２２】
以上説明したように、本発明によれば、ユーザが画像出力を行おうとするユーザ用紙の特性に合致した色変換を精度良く行うことができるという効果を得ることができる。
【発明を実施するための最良の形態】
【００２３】
次に、本発明の実施の形態について図面を参照して詳細に説明する。
【００２４】
［第１の実施形態］
図１は本発明の第１の実施形態の画像形成装置１０を含む画像処理システムの構成を示す図である。
【００２５】
図１に示すように、画像処理システムは、ネットワーク１４を介して接続された画像形成装置１０および端末装置２０を含む。端末装置２０は、印刷ジョブ等の印刷データを生成して、画像形成装置１０に対して送信する。画像形成装置１０は、端末装置２０から送信された印刷データを受け付けて、印刷データに応じた画像を印刷用紙上に出力する。
【００２６】
次に、本実施形態の画像形成装置１０のハードウェア構成を図２に示す。
【００２７】
画像形成装置１０は、図２に示されるように、ＣＰＵ１８、メモリ１９、ハードディスクドライブ（ＨＤＤ）等の記憶装置２２、ネットワーク１４を介して外部のコンピュータなどとデータの送信及び受信を行う通信インタフェース（ＩＦ）２４、タッチパネル又は液晶ディスプレイ並びにキーボードを含むユーザインタフェース（ＵＩ）装置２６、印刷エンジン２８を有する。これらの構成要素は、制御バス１６を介して互いに接続されている。
【００２８】
ＣＰＵ１８は、メモリ１９または記憶装置２２に格納された画像処理プログラムに基づいて所定の処理を実行して、画像形成装置１０の動作を制御する。また、画像処理プログラムは、通信ＩＦ２４を介して外部から提供するようにしてもよいし、ＣＤ−ＲＯＭ等の記憶媒体に格納して提供するようにしてもよい。
【００２９】
図３は、上記の画像処理プログラムが実行されることにより実現される画像形成装置１０の機能構成を示すブロック図である。
【００３０】
本実施形態の画像形成装置１０は、図３に示されるように、給紙装置２９と、印刷エンジン２８Ｋ〜２８Ｙと、エンジンコントローラ３０Ｋ〜３０Ｙと、排出装置３１と、プリンタコントローラ３２と、ＲＧＢ−ＣＭＹＫ変換のための色変換テーブル格納部３４と、予め設定された複数の標準用紙１、２、・・・に対して測定されたプリンタプロファイル格納部３５と、ＣＭＹＫ−ＣＭＹＫ変換のための色変換テーブル格納部３６とを備えている。そして、プリンタコントローラ３２内には、印刷しようとする画像データに対して画像処理を行うための画像処理装置３３が構成されている。
【００３１】
色変換テーブル格納部３４には、ＲＧＢ画像データをＣＭＹＫ画像データに変換するための色変換テーブルが、予め設定された複数の標準用紙毎にそれぞれ格納されている。
【００３２】
プリンタプロファイル格納部３５には、例えば、ＩＣＣ（International Color Consortium）プロファイル等により表現されたプリンタのデバイスプロファイル（以下、プリンタプロファイルと称する。）が複数の標準用紙に対応して格納されている。
【００３３】
色変換テーブル格納部３６には、ＣＭＹＫ画像データをＣＭＹＫ画像データに変換するための色変換テーブルが、予め設定された複数の標準用紙毎にそれぞれ格納されている。
【００３４】
エンジンコントローラ３０Ｋ〜３０Ｙは、印刷エンジン２８Ｋ〜２８Ｙの動作をそれぞれ制御している。印刷エンジン２８Ｋ〜２８Ｙは、給紙装置２９により給紙された印刷用紙に対して、ＹＭＣＫ各色毎の印刷データに基づいた印刷をそれぞれ行い排出装置３１に対して出力する。なお、印刷エンジン２８Ｋ〜２８Ｙは、画像処理装置３３により色変換が行なわれた後の画像データに基づいた画像を出力する画像出力装置として機能している。
【００３５】
次に、図３中の画像処理装置３３の構成を図４を参照して説明する。
【００３６】
本実施形態における画像処理装置３３は、図４に示されるように、選択部４１と、変換テーブル作成部４２と、色変換テーブル合成部４３とを備えている。
【００３７】
なお、図４には示されていないが、本実施形態の画像形成装置３３には、プリンタプロファイル作成部が設けられている。このプリンタプロファイル作成部は、ユーザ用紙に対して測色用パターンを画像形成し、この測色用パターンを測色計等により測定した測定結果に基づいて、ユーザ用紙に対応したプリントプロファイル３７を作成する。
【００３８】
選択部４１は、色変換テーブルおよびプリンタプロファイルが用意されている複数の標準用紙の中から、ユーザが画像出力の際に使用しようとする用紙であるユーザ用紙と特性が近似する標準用紙を選択する。
【００３９】
なお、選択部４１が、複数の標準用紙の中からユーザ用紙と特性が近似する標準用紙を選択する具体的な方法としては下記のような方法が考えられる。
【００４０】
（１）ユーザが指定する。
【００４１】
（２）ユーザは、通常プロセスパラメータのために必要となる特性を指定する必要がある。例えば、定着パラメータ向けの普通用紙／コート紙／新聞用紙等の指定をする必要がある。そのため、ここで指定された特性を用いてユーザ用紙と特性が近似する標準用紙を複数の標準用紙の中から選択する。
【００４２】
（３）ユーザ用紙に対応して生成されたプリンタプロファイル３７と、プリンタプロファイル格納部３５手段に格納されている標準用紙に対応した複数のプリンタプロファイルとの相関関係に基づいて、ユーザ用紙と特性が近似する標準用紙を選択する。この方法は、例えば、上述した特許文献２に開示されている。
【００４３】
ここでは、選択部４１は、予め設定されている複数の標準用紙（標準用紙１、標準用紙２、標準用紙３、・・・）の中からＮ番目の標準用紙Ｎを、ユーザ用紙の特性に近似する標準用紙として選択したものとして説明する。
【００４４】
変換テーブル作成部４２は、選択部４１により選択された標準用紙に対応するプリンタプロファイル３５Nと、ユーザ用紙に対応して生成されたプリンタプロファイルとに基づいて、標準用紙用のＣＭＹＫ画像データをユーザ用紙用のＣＭＹＫ画像データに変換するための変換テーブル３８を作成する。
【００４５】
色変換テーブル合成部４３は、選択部４１により選択された標準用紙に対応する色変換テーブル３４Nと、変換テーブル作成部４２により作成された変換テーブル３８とに基づいて、ＲＧＢ画像データをユーザ用紙用のＣＭＹＫ画像データに変換するための色変換テーブル３９を合成する。
【００４６】
なお、本実施形態では、色変換テーブル合成部４３により色変換テーブル３４Nと変換テーブル３８とに基づいて色変換テーブル３９を合成するものとして説明しているが、本発明はこのように色変換テーブル３９が合成される場合に限定されるものではない。
【００４７】
色変換テーブル３９が生成されない場合には、入力されたＲＧＢ画像データの色変換を行う色変換部（不図示）が、選択部４１により選択された標準用紙に対応する色変換テーブル３４Nと、変換テーブル３８とに基づいて、入力されたＲＧＢ画像データをユーザ用紙用のＣＭＹＫ画像データに色変換する。
【００４８】
次に、本実施形態の画像処理装置３３の動作を図５のフローチャートを参照して詳細に説明する。
【００４９】
先ず、ユーザが印刷を行おうとする用紙をユーザ用紙として指定すると、プリンタプロファイル作成部（不図示）は、各色毎に階調が異なる複数のパッチ画像からなる測色用パターンをユーザ用紙上に形成する。そして、プリンタプロファイル作成部は、この測色用パターンが形成されたユーザ用紙を測色計等により測色した測定結果に基づいて、ユーザ用紙のプリンタプロファイルを作成する（Ｓ１０１）。
【００５０】
次に、選択部４１は、予め設定されている複数の標準用紙の中から、ユーザが画像出力の際に使用しようとする用紙であるユーザ用紙と特性が近似する標準用紙を選択する（Ｓ１０２）。
【００５１】
すると、変換テーブル作成部４２は、選択部４１により選択された標準用紙に対応するプリンタプロファイル３５Nと、ユーザ用紙に対応して生成されたプリンタプロファイルとに基づいて、標準用紙用のＣＭＹＫ画像データをユーザ用紙用のＣＭＹＫ画像データに変換するための変換テーブル３８を作成する（Ｓ１０３）。
【００５２】
最後に、色変換テーブル合成部４３は、選択部４１により選択された標準用紙に対応する色変換テーブル３４Nと、変換テーブル作成部４２により作成された変換テーブル３８とに基づいて、ＲＧＢ画像データをユーザ用紙用のＣＭＹＫ画像データに変換するための色変換テーブル３９を合成する（Ｓ１０４）。
【００５３】
このようにして、ＲＧＢ画像データをユーザ用紙に対応したＣＭＹＫ画像データに変換するための色変換テーブル３９が作成され、色変換部（不図示）は、入力されたＲＧＢ画像データをこの色変換テーブル３９を用いて色変換を行うことにより、標準用紙としては設定されていなかったユーザ用紙に対して印刷を行うためのＣＭＹＫ画像データが得られる。
【００５４】
本実施形態の画像形成装置３３によれば、実際にユーザ用紙に対して測色用パターンを印刷し、その測色用パターンの測定結果に基づいてユーザ用紙用のプリンタプロファイル３７を作成している。そして、このユーザ用紙用のプリンタプロファイル３７と、もともと用紙されていた標準用紙用のＲＧＢ−ＣＭＹＫ色変換テーブル３４を合成して、ユーザ用紙用のＲＧＢ−ＣＭＹＫ色変換テーブル３９を作成するようにしているので、精度の高い色変換テーブル３９を得ることが可能になる。
【００５５】
そのため、本実施形態の画像形成装置３３によれば、用紙の地色の差に基づいてプロファイルを補正するような簡易的な方法と比較して、精度の高い色変換を行うことが可能となる。
【００５６】
なお、本実施形態の画像処理装置によれば、ＲＧＢ−ＣＭＹＫ色変換テーブル格納部３４に格納されているＲＧＢ−ＣＭＹＫ色変換テーブルが、色再現重視や彩度重視などインテント（色変換の意図）に応じて用意されている場合、色変換テーブル合成部４３により作成される色変換テーブル３９においてもそのインテントが反映されることになる。
【００５７】
[第２の実施形態]
次に、本発明の第２の実施形態の画像形成装置における画像処理装置３３について説明する。
【００５８】
上記で説明した第１の実施形態では、ＲＧＢ画像データをＣＭＹＫ画像データに変換する場合を用いて説明したが、本実施形態では、ＣＭＹＫ画像データをＣＭＹＫ画像データに変換する場合を用いて説明する。
【００５９】
印刷機等の他の画像形成装置において印刷するために作成されたＣＭＹＫ画像データを、目標としていた印刷機とは異なるプリンタ等の画像形成装置で印刷するような場合、ＣＭＹＫ−ＣＭＹＫ色変換が行われる場合がある。
【００６０】
本実施形態の画像処理装置３３は、このようなＣＭＹＫ−ＣＭＹＫ色変換が行われる場合でも、ユーザ用紙の特性に合致した色変換を精度良く行うことができるようにする。
【００６１】
本実施形態における画像処理装置３３は、図６に示すように、ＲＧＢ−ＣＭＹＫ色変換テーブル３４の代わりに、ＣＭＹＫ−ＣＭＹＫ色変換テーブル３６を用いる点が、図４に示した画像処理装置３３とは異なっている。
【００６２】
また、本実施形態における色変換テーブル合成部４３は、選択部４１により選択された標準用紙に対応する色変換テーブル３６Nと、変換テーブル作成部４２により作成された変換テーブル３８とに基づいて、ＣＭＹＫ画像データをユーザ用紙用のＣＭＹＫ画像データに変換するための色変換テーブル４０を合成する。
【図面の簡単な説明】
【００６３】
【図１】図１は本発明の第１の実施形態の画像形成装置１０を含む画像処理システムの構成を示す図である。
【図２】本発明の第１の実施形態の画像形成装置１０のハードウェア構成を示す図である。
【図３】本発明の第１の実施形態の画像形成装置１０の機能構成を示すブロック図である。
【図４】本発明の第１の実施形態の画像処理装置３３の構成を示すブロック図である。
【図５】本発明の第１の実施形態の画像処理装置の動作を示すフローチャートである。
【図６】本発明の第２の実施形態の画像処理装置３３の構成を示すブロック図である。
【符号の説明】
【００６４】
１０    画像形成装置
１４    ネットワーク
１６    制御バス
１８    ＣＰＵ
１９    メモリ
２０    端末装置
２２    記憶装置
２４    通信インタフェース（ＩＦ）
２６    ユーザインタフェース（ＵＩ）装置
２８、２８Ｋ〜２８Ｙ    印刷エンジン
２９    給紙装置
３０Ｋ〜３０Ｙ    エンジンコントローラ
３１    排出装置
３２    プリンタコントローラ
３３    画像処理装置
３４    色変換テーブル格納部（ＲＧＢ→ＣＭＹＫ色変換）
３５    プリンタプロファイル格納部
３６    色変換テーブル（ＣＭＹＫ→ＣＭＹＫ色変換）
３７    プリンタプロファイル（ユーザ用紙）
３８    変換テーブル（標準用紙ＣＭＹＫ→ユーザ用紙ＣＭＹＫ）
３９    色変換テーブル（ＲＧＢ→ユーザ用紙用のＣＭＹＫ）
４０    色変換テーブル（ＣＭＹＫ→ユーザ用紙用のＣＭＹＫ）
４１    選択部
４２    変換テーブル作成部
４３    色変換テーブル合成部
Ｓ１０１〜Ｓ１０４    ステップ
【図１】
2008153810.tif 000003
【図２】
2008153810.tif 000004
【図３】
2008153810.tif 000005
【図４】
2008153810.tif 000006
【図５】
2008153810.tif 000007
【図６】
2008153810.tif 000008